(57)【要約】【課題】ビデオ画像上にガマット・エラーが隠れないように表示する。【解決手段】被測定ビデオ画像のモノクロ画像上に不正カラーを表示することによってガマット・エラーを表示する。被測定ビデオ画像を表す入力ビデオ信号からコンポジット信号及びコンポーネント信号のガマット・エラー信号を抽出する。これらエラー信号は、ガマット上下限値に近い、上限しきい値の外、下限しきい値の外といったガマット・エラーの状態を表す。不正カラー表示発生回路４８は、ガマット・エラー信号及び入力ビデオ信号の輝度信号を受けて、ガマット不正カラー表示をモノクロ画像として出力すると共に、ガマット・エラーがあるときは、モノクロ画像中のガマット・エラー信号に対応する画素を状態に応じて複数の異なる色（不正カラー）にする。【選択図】図１
2005012802.tif 000002
【特許請求の範囲】
【請求項１】
複数の画素を有するガマット不正カラー表示装置であって、
入力ビデオ信号からガマット・エラー信号を生成する手段と、
上記ガマット・エラー信号及び上記入力ビデオ信号の輝度信号から、上記画素をモノクロにすると共に上記ガマット・エラー信号がガマット・エラーを示したときだけ該ガマット・エラーに関係する上記画素を上記モノクロの代わりに不正カラーにすることによって、ガマット不正カラー表示を行う手段とを具えるガマット不正カラー表示装置。
【請求項２】
複数の画素を用いた入力ビデオ信号のモノクロ表示と、上記モノクロ表示の内のガマット・エラーに対応した上記画素における不正カラーとを特徴とするガマット不正カラー表示装置。
【請求項３】
複数の画素を用いたガマット不正カラー表示方法であって、
入力ビデオ信号からガマット・エラー信号を生成するステップと、
上記ガマット・エラー信号及び上記入力ビデオ信号の輝度信号から、上記画素をモノクロにすると共に上記ガマット・エラー信号がガマット・エラーを示したときだけ該ガマット・エラーに関係する上記画素を上記モノクロの代わりに不正カラーにすることによって、ガマット不正カラー表示を行うステップとを具えるガマット不正カラー表示方法。
【発明の詳細な説明】
【技術分野】
【０００１】
本発明は、ビデオ画像分析に関し、特に被測定ビデオ画像中のガマット・エラーを見るための表示装置及び方法に関する。
【背景技術】
【０００２】
カラー・ビデオ画像は、そのビデオ処理中において、いくつかの異なる形式（フォーマット）で表される。例えば、カラー・ビデオ画像は、ＮＴＳＣ又はＰＡＬのようなアナログ・コンポジット形式、Ｙ、Ｐｂ、Ｐｒのようなアナログ・コンポーネント形式、ＳＭＰＴＥ  １２５Ｍのようなデジタル・コンポーネント形式、ＲＧＢのような原色形式などになっている。カラー・ビデオ画像の処理途中では、異なるフォーマット間で数回変換が行われる。各フォーマットは異なる色空間を持っているので、あるフォーマットで生成可能な色も他のフォーマットでは再現できないことがある。あるカラー・フォーマットで再現可能な色が他のカラー・フォーマットで再現できないことは、カラー・ガマット・エラーとして知られる。
【０００３】
加えて、アナログ・コンポジット信号には、放送又は受信回路を適切に動作させるために、通常、あるリミットがある。よって、ある特定の信号リミットを超えたコンポジット信号は、信号リミット・エラーがあるとされる。簡単のため、ここでは、カラー・ガマット・エラーと信号リミット・エラーを、ガマット・エラーと呼ぶことにする。
【０００４】
ガマット・エラーを検出する１つの方法が米国特許第４７０７７２７号に開示されており、ここではコンポーネント・アナログ信号のようなあるフォーマットのカラー・テレビジョン信号が原色信号のような表示フォーマットに変換される。各コンポーネントの振幅は、高低のしきい値とそれぞれ比較され、もしどちらかのしきい値と交差したら、エラーが指示される。このような指示は、単純にパネル上のライトで表示したり、表示画面上でブランキングする、クロスハッチ（平行線模様）にする又は誤りを示す色にするといったことで表示される。エラー指示は、画素の色がガマット内に収まるように、即ち、新しい色空間で再現可能な色の範囲に収まるようにエラーを指示する画素カラー補正を開始するためにも使用される。米国カルフォルニア州マウンテビューのピナクルシステムズ社（Pinnacle Systems, Inc.）製（元々の設計製造は米国ヒューレット・パッカード社）のＱＡ１００型品質アナラザーは、ガマットから外れた画素を誤りを示す色（不正カラー）を用いて表示する例である。米国テクトロニクス社のＷＦＭ７００型波形モニタは、ガマットから外れた画素にクロスハッチ（平行線模様）パターンを重ねて表示する例である。
【特許文献１】米国特許第４７０７７２７号
【発明の開示】
【発明が解決しようとする課題】
【０００５】
上述の方法は、通常のフルカラー映像に重ねて行うものであり、それゆえに、色、動き、エッジ等が多数あるとガマット・エラーがあるのか否か目視で確認したり、複数の極小さな箇所にガマット・エラーが生じているのか否か確認するのが難しくなっている。
【０００６】
そこで、ビデオ画像にガマット・エラーが重なって隠れてしまわないように表示して、ガマット・エラーの原因をより簡単に分析できるようにすることが望ましい。
【課題を解決するための手段】
【０００７】
本発明は、被測定ビデオ画像のモノクロ（単色）画像上にガマット・エラーを示す色（不正カラー）を表示するガマット不正カラー表示装置及び方法を提供する。被測定ビデオ画像を表す入力ビデオ信号からコンポジット及びコンポーネント信号のガマット・エラー信号を抽出する。ここでは、モノクロ（単色）とは、例えば、赤、緑及び青信号の値の和と等しい、つまり、ノンカラー（白黒又はグレースケール）とする。このようなエラー信号は、ガマット上下限に近い、ガマット上限外、ガマット下限外といったガマット・エラーの複数の状態(Status)を表す。不正カラー表示発生回路は、ガマット・エラー信号及び入力ビデオ信号のルミナンス・コンポーネント（輝度信号）を入力信号として受けて、ガマット不正カラー表示をモノクロ画像として出力するとともに、ガマット・エラーがあるときは、モノクロ画像中のガマット・エラー信号に対応する画素を複数の異なる色（不正カラー）にする。ビデオ画像全体（コンポーネント信号、コンポジット信号）はもちろんであるが、表示用の各コンポーネント信号もガマット・エラーについてテストされる。入力ビデオ信号中の複数のビデオ画像に渡るガマット・エラーを特定するには、可変又は固定量の残像を用いるようにしても良い。また、予め定めたエラーのリミットに達したときにガマット・エラー表示のスナップショットを取れるように、検出したガマット・エラーをカウントするカウンタを用いるようにしても良い。
【０００８】
本発明の目的、効果、新規性等は、特許請求の範囲及び図面と共に以下の詳細な説明の記載から明らかとなろう。
【発明を実施するための最良の形態】
【０００９】
図１は、本発明によるガマット不正カラー表示機能を実現するロジック回路の機能ブロック図である。これは、コンポーネント・ビデオ信号Ｙ、Ｃｂ、Ｃｒのようなあるフォーマットのビデオ画像信号を原色ＲＧＢ信号のような表示フォーマットに変換するとともに、ガマット・エラー試験を行う例を示している。入力ビデオ信号は、クロミナンス振幅信号発生回路１２及びカラー変換回路１４に入力される。入力ビデオ信号のクロミナンス・コンポーネントは、クロミナンス振幅信号発生回路１２によってクロミナンス振幅信号ＣMagに変換され、加算器１６及び引き算器１８に入力される。また、加算器１６及び引き算器１８には、入力ビデオ信号のルミナンス・コンポーネント（輝度信号）も入力される。加算器１６の出力信号は、第１及び第２比較器２０及び２２に、それぞれ上限（High）しきい値及び近上限（Near High）しきい値と共に入力される。引き算器１８の出力信号は、第３及び第４比較器２４及び２６に、それぞれ近下限（Near Low）しきい値及び下限（Low）しきい値と共に入力される。なお、クロミナンス比較器２０〜２６の出力信号は、論理値（boolean values）である。図中、ＨＩはHigh（上限）の略、ＮＲはNear（近い）の略、ＬＯはLow（下限）の略であり、対応する論理出力信号を表している。
【００１０】
入力ビデオ信号の複数のコンポーネントをカラー変換回路１４に入力することによって、この例では、３つの原色信号、赤（Ｒ）、緑（Ｇ）、青（Ｂ）が得られる。各原色信号は、４個で１組を成す比較器２８〜４４の対応するそれぞれの組に、それぞれの上限（High）、近上限（Near High）、近下限（Near Low）及び下限（Low）のしきい値と共に入力される。原色信号比較器２８〜４４の論理出力信号は、クロミナンス比較器２０〜２６の出力信号と共に、フレーム・バッファを有する不正カラー表示発生回路４８に入力される。
【００１１】
ルミナンス・コンポーネント（輝度信号）Ｙで表されるガマット・エラーが分析されたビデオ画像は、不正カラー表示発生回路４８により、ＶＧＡモニタのような適切なモニタ上でモノクロ（単色）で表示される。モノクロ表示に使用する色は、後述する不正カラーとして使用する色と異なる色、例えば、緑の単色でも良いが、ここでは赤、緑及び青信号の和である白黒（ノンカラー又はグレースケール）とすれば、不正カラーが現れた場合に識別しやすい。また、ルミナンス・コンポーネントＹは、表示画素のモノクロ・データの強度を設定するのに使用される。クロミナンス比較器２０〜２６及び原色比較器２８〜４４からの論理値（boolean values）で示されるビデオ画像中にあるガマットから外れそうな（上下限に近い）部分は、例えば、黄色などの第１カラーに変更される。ビデオ画像中のガマット下限を超えた部分は、例えば、青などの第２カラーに変更される。そして、ビデオ画像中のガマット上限を超えた部分は、例えば、赤などの第３カラーに変更される。言い換えると、ガマットを示す論理値で「真」が何もなければ、モノクロ（白黒又はグレースケール）だけが表示され、さもなければ、どのガマット論理値が「真」であるかに応じて、適切な色が表示される。使用する異なる色の数、どの色を使うか、発生を決めるしきい値は、全て任意に設定可能（プログラマブル）である。このように、上限（ＨＩ）、近上限（ＮＲ  ＨＩ）、近下限（ＮＲ  ＬＯ）及び下限（ＬＯ）の論理値から、不正カラー表示発生回路４８は、適切な不正カラーを表示装置（図示せず）に供給する。
【００１２】
本発明によるガマット・エラー検出のためのガマット不正カラー表示フォーマットの利点は、ビデオ画像の内容は容易に識別可能なままで、ビデオ画像中の全ての部分が、ガマット内にあるか、ガマットの上下限に近いところにあるか、ガマットから外れているかを容易に確認できることである。更には、ガマットから外れる位置と領域がわかるので、観測者はそのガマット・エラーの軽重を評価できる。例えば、ビデオ画像の主要な鑑賞領域は通常中央の領域なので、画像周辺部の安全領域でのエラーは、安全領域より内側でのエラーと比較すれば、それほど深刻な問題とはならない。小さい又は極小のガマット・エラーであれば、たとえそれが表示画面全体に渡るものであっても、表示画面の一箇所が集中してガマットから外れるのと比較すれば、それほど重大な問題ではない。
【００１３】
本発明による表示フォーマットをより効果的に使用するには、不正カラー表示発生回路４８中のフレーム・バッファを用いて、可変又は固定量の残像をガマット不正カラーに与えるようにしても良い。更に不正カラーに任意に優先順位を設定しても良く、これによると優先順位の低いカラーは優先順位の高いカラーを上書きすることがなくなる。残像を可変にすると、短い期間だけガマットから外れる場合でも検出が容易である。一方、固定量の残像を与える場合では、人手でガマット試験を実行しなくても、全てのビデオ・シーケンスに渡ってガマット試験を実行できる。更には、フィールド・ガマット・エラー・カウンタ５０と、タイム・スタンプ／スナップショット・ロジック回路５２を用いることで、自動実行機能を導入できる。これらは、映像の１フィールド中にガマットが外れる箇所が多数検出される事態が発生したときに、ガマット表示のスナップショット（瞬間的な画像）を残す。スナップショットが行われたときは、残像はリセットされる。
【００１４】
また、ビデオ画像をモノクロ（単色）で表示しながら、ビデオ画像の異なるコンポーネントについて個々にガマット・エラーの試験を行うようにしても良い。例えば、ビデオ画像の赤のコンポーネントについてだけＲＧＢガマット・エラーのチェックを行って、ガマットが外れていたら不正カラーを生成するようにしても良い。
【００１５】
このように本発明は、入力ビデオ画像信号を表示用のカラー・フォーマットに変換すると共に、入力ビデオ画像信号中の輝度信号からクロミナンス（色信号）の振幅成分を分離することによって、ガマット不正カラー表示を行う。クロミナンスの振幅成分は、ルミナンス・コンポーネント（輝度）信号と一緒にされて、コンポジット信号に関するガマット・エラーを決定するためのいくつかの異なるしきい値と比較される。表示用カラー・コンポーネント信号も、表示用のコンポーネント信号に関するガマット・エラーを決定するためのいくつかの異なるしきい値と比較される。比較結果の論理値を処理することによって、入力ビデオ信号のガマット上下限に近いか又はガマットから外れてしまった画素を不正カラーにする。このとき、ガマット・エラーの各状態に応じて異なる不正カラーを使用する一方、他の画素についてはモノクロで表示する。
【産業上の利用可能性】
【００１６】
本発明によれば、ビデオ画像にガマット・エラーが重なって隠れてしまうことがないので、ビデオ画像のガマット・エラー分析・試験に利用できる。
【図面の簡単な説明】
【００１７】
【図１】本発明によるガマット不正カラー表示機能を実現するロジック回路の機能ブロック図（上半分）である。
【図２】本発明によるガマット不正カラー表示機能を実現するロジック回路の機能ブロック図（下半分）である。
【符号の説明】
【００１８】
１２        クロミナンス振幅信号発生回路
１４        カラー変換回路
１６        加算器
１８        引き算器
２０〜２６  クロミナンス比較器
２８〜４４  原色比較器
４８        不正カラー表示発生回路
５０        フィールド・ガマット・エラー・カウンタ
５２        タイム・スタンプ及びスナップショット・ロジック回路
【図１】
2005012802.tif 000003
【図２】
2005012802.tif 000004